(57)【特許請求の範囲】
【請求項１】
走行機体Ｂに対して昇降可能にメインフレーム５を吊設し、該メインフレーム５の前後に前接地輪１０と後接地輪１１を設けて所定高さに保持し、該メインフレーム５の内部に揺動ブラシ２４の毛先が接地しつつ左右に所定量往復動する揺動すり込み部Ｃを配置し、該メインフレーム５の後接地輪１１の後方に均しブラシ４３の毛先が接地する均しすり込み部Ｄを配置し、
該揺動すり込み部Ｃの揺動ブラシ２４を、該ブラシ２４の支持ロッド２７に穿設した、複数の接地圧調整ピン孔２７ｂと毛先位置調整ピン孔２７ａに対する、接地圧調整スナップピン２８ｂと毛先位置調整スナップピン２８ａの挿入位置を変更することにより、押圧バネ３３による接地圧の調整と、支持ロッド２７の係止位置による毛先位置調整を可能とし、
均しすり込み部Ｄの均しブラシ４３についても、スナップピンのピン孔への挿入位置を変更することにより、押圧バネ４２による接地圧を調整自在としたことを特徴とする目砂すり込み装置。
【発明の詳細な説明】
【０００１】
【発明の属する技術分野】
本発明は、ゴルフ場、特にグリーン上に散布された目砂のすり込み装置に関する。
【０００２】
【従来の技術】
グリーン芝の保守作業として、刈り込みを行った後や通気性を向上するためにコアリング（穴開け）を行った後に、目砂を散布して前記穴内や芝の葉の間に目砂をすり込むようにしていた。
この目砂のすり込みは、レーキ状のブラシで人手によって行われていたが、人手が多く必要であり、時間がかかり作業性が悪かったので、機械的にすり込みができるようにした技術がある。
例えば、特開平８−８９００９号や特願平９−２０７８５号に示されるごとくである。
【０００３】
【発明が解決しようとする課題】
しかし、前記従来の技術では、ブラシを左右方向に配置して、該ブラシの毛先を左右揺動させる構成により、撒かれた目砂を均一に分散させたのであるが、揺動ブラシの高さはメインフレームから垂設された昇降装置で所定高さに保持されているにすぎないため、グリーンの勾配や高さの変化によっては、装置全体の重量がブラシの毛先に作用して芝を痛め、特に深い芝の場合には毛先が動かずにすり込みができない場合があった。
そこで、本発明者らは、揺動すり込み部をメインフレームから吊設し、ブラシの毛先に装置の重量がかからない状態にして、ブラシの接地圧を自在に調整できる構成にしたものを出願したが、同一フレーム内に揺動すり込み部と均しすり込み部を併設し、しかも、両すり込み部ごとに車輪を設けたために、構造が複雑となり各部品の交換等の保守管理が煩雑であった。
さらに、いずれの機械的すり込み方法においてもブラシの下方への突き出し量が制限されるため、ブラシの毛先が磨耗し接地しなくなり目砂すり込み効果が劣化した場合にはブラシごと交換するしかなく、消耗品コストの増加が避けられなかった。
【０００４】
【課題を解決するための手段】
本発明が解決しようとする課題は以上の如くであり、次に該課題を解決するための手段を説明する。
走行機体Ｂに対して昇降可能にメインフレーム５を吊設し、該メインフレーム５の前後に前接地輪１０と後接地輪１１を設けて所定高さに保持し、該メインフレーム５の内部に揺動ブラシ２４の毛先が接地しつつ左右に所定量往復動する揺動すり込み部Ｃを配置し、該メインフレーム５の後接地輪１１の後方に均しブラシ４３の毛先が接地する均しすり込み部Ｄを配置し、該揺動すり込み部Ｃの揺動ブラシ２４を、該ブラシ２４の支持ロッド２７に穿設した、複数の接地圧調整ピン孔２７ｂと毛先位置調整ピン孔２７ａに対する、接地圧調整スナップピン２８ｂと毛先位置調整スナップピン２８ａの挿入位置を変更することにより、押圧バネ３３による接地圧の調整と、支持ロッド２７の係止位置による毛先位置調整を可能とし、均しすり込み部Ｄの均しブラシ４３についても、スナップピンのピン孔への挿入位置を変更することにより、押圧バネ４２による接地圧を調整自在としたものである。
【０００５】
【発明の実施の形態】
次に、本発明の実施例について説明する。
図１は本発明の目砂すり込み装置の全体側面図、
図２は同じく平面図、
図３は揺動すり込み部の側面図、
図４は同じく正面図である。
【０００６】
図１、図２において、本発明の目砂すり込み装置Ａの全体構成から説明する。  目砂すり込み装置Ａは走行機体Ｂの前部に配置されて、走行機体Ｂにより押されながら作業を行うようにしている。
１は走行機体Ｂの前輪、２は運転部のステップであり、前輪１より前方に牽引アーム３・３とリフトアーム４・４が突出され、該リフトアーム４・４の基部（後部）には図示しない油圧シリンダーのピストンロッドと連結されて、目砂すり込み装置Ａを昇降できるようにしている。
【０００７】
目砂すり込み装置Ａは、メインフレーム５・５と該メインフレーム５・５に吊設される複数の揺動すり込み部Ｃと、該メインフレーム５・５の後フレーム５ｂにアーム６で連結された複数の均しすり込み部Ｄとからなり、該メインフレーム５・５は矩形パイプを平面視で左右２個の四角形状に構成され、該メインフレーム５・５の前フレーム５ａ・５ａはアーム７で遊嵌連結されている。
また、前記メインフレーム５・５の後フレーム５ｂ・５ｂ上にはリフト台８・８が固設され、該リフト台８・８上には、逆Ｕ字状に構成したリフトフック９・９が上方に突出され、前記リフトアーム４・４の前端に形成した係合部４ａ・４ａが係合できるようにしている。こうして、リフトアーム４を油圧シリンダーによって上方へ回動すると、リフトフック９・９が係合部４ａ・４ａに係合して持ち上がり、メインフレーム５を持ち上げて目砂すり込み装置Ａを上昇させることができる。
【０００８】
前記前フレーム５ａの両側には、前接地輪支持フレーム１２・１２が下方に突設され、該前接地輪支持フレーム１２・１２の下端には、前接地輪１０・１０が回転自在に配置され、また、前記後フレーム５ｂ・５ｂの両側からも、下方に後接地輪支持フレーム１４が突設され、該後接地輪支持フレーム１４・１４の下端には後接地輪１１・１１が回転自在に配置されて、該後接地輪１１・１１と前記前接地輪１０でメインフレーム５を支えているため、地表面の凹凸に追随できるようになっている。
【０００９】
また、前記前フレーム５ａ・５ａと、前記牽引アーム３・３の前端に形成された逆Ｕ字状金具１３・１３とが枢結され、メインフレーム５・５が牽引できるようにしている。
【００１０】
前記後フレーム５ｂから後方には連結アーム６が突設され、該連結アーム６にはブラシホルダー１７上部に突出した支持ロッド１６の上端が枢結され、さらに、該ブラシホルダー１７は前記後フレーム５ｂ・５ｂとチェーン１５によっても連結されて、均しすり込み部Ｄを牽引できるようにしている。
【００１１】
また、前記後フレーム５ｂ上には支持台１８・１８が載設され、該支持台１８・１８上には油圧または電気で駆動されるモーター１９・１９が載置固定され、各モーター１９には変速装置が付設され、この変速装置の出力軸にはプーリー２０が固設されている。一方、モーター１９の前方には、後述するギアボックス２１の位置に合わせてプーリー２２が回転自在に支持され、該プーリー２２と前記プーリー２０との間にはテンションローラ２３を介しベルトが巻回され動力を伝達し、後述するギアボックス２１に動力を伝えられるようにしている。
【００１２】
次に、揺動すり込み部Ｃの構成を説明する。
揺動すり込み部Ｃはメインフレーム５内に左右方向に複数組（本実施例では２組）配設されており、それぞれ長さの異なる揺動ブラシ２４・２５を前後一対、左右方向に平行に配設して、端部で隣の組の揺動すり込み部Ｃの揺動ブラシ２４・２５と前後方向で重なるように配置して、すり込みムラが発生しないようにしている。
【００１３】
図１と図３と図４において、接地圧調整の構造と、毛先位置調整の構造を説明する。
図１においては、支持ロッド２７に開口された、３つの毛先位置調整ピン孔２７ａと、同じく３つの接地圧調整ピン孔２７ｂが開示されており、接地圧調整ピン孔２７ｂの中の一孔に接地圧調整スナップピン２８ｂが挿入され、毛先位置調整ピン孔２７ａには毛先位置調整スナップピン２８ａが挿入されていない状態が図示されている。
図３においては、毛先位置調整ピン孔２７ａの中の一孔に毛先位置調整スナップピン２８ａが挿入され、接地圧調整ピン孔２７ｂには毛先位置調整ピン孔２７ａが挿入されていないので、重力により揺動ブラシ２４が設置する状態が図示されている。
図４においても、毛先位置調整ピン孔２７ａの一孔に毛先位置調整スナップピン２８ａが挿入されており、接地圧調整ピン孔２７ｂには毛先位置調整スナップピン２８ａが挿入されていない状態が図示されている。
図３、図４に示すように、該揺動ブラシ２４・２５の上部側の基部にはそれぞれ前後方向に支持杆２６・２６が貫通し、該支持杆２６・２６の前後両端は支持プレート３０・３０に貫通固定され、該支持プレート３０・３０の上部には支持ロッド２７・２７の下端が固設されている。
各支持ロッド２７は支持プレート３０の上方に配置した支持ブロック３２と支持プレート２９の孔を貫通し、上下摺動自在とされ、該支持ブロック３２と支持プレート２９の間の支持ロッド２７上には押圧バネ３３が外嵌されている。
図１と図４に図示する如く、該支持ロッド２７上には、上下一定間隔でピン孔が開口され、支持プレート２９よりも上側には、３つの毛先位置調整ピン孔２７ａが、また支持プレート２９と支持ブロック３２の間の支持ロッド２７上には、同じく３つの接地圧調整ピン孔２７ｂが穿設されている。
前記押圧バネ３３の下部を、接地圧調整ピン孔２７ｂに挿入した接地圧調整スナップピン２８ｂで係止し、該接地圧調整スナップピン２８ｂを挿入する３つの接地圧調整ピン孔２７ｂの位置を変更することによって、揺動ブラシ２４・２５の接地圧を変更できるようにしている。
さらに、毛先位置調整スナップピン２８ａを、支持プレート２９より上面の支持ロッド２７に穿設した３つの毛先位置調整ピン孔２７ａに挿入し、該挿入するときの位置を変更することによって、揺動ブラシ２４・２５の毛先高さを変更できるようにしている。
【００１４】
また、前後ブラシホルダー３１・３１の前後左右中央部上にはギアボックス２１が載置され、該ギアボックス２１の入力軸には前記プーリー２２が固設され、該ギアボックス２１から前後に延設した出力軸３５の両端には偏心カム３６・３６が固設されている。該ギアボックス２１前後の偏心カム３６・３６には揺動駆動アーム３７・３７の一端が位相差を１８０度ずらして連結され、各揺動駆動アーム３７の他端は前記ブラシホルダー３１の左右に配置された揺動アーム３８・３８の一方の上部に枢支されており、偏心カム３６の回動時には前後の揺動ブラシ２４・２５の揺動アーム３８が逆方向に往復動するようにしている。該揺動アーム３８は側面視で逆Ｕ字状に構成され、左右の揺動アーム３８はガイドバー３９・３９で連結されており、該ガイドバー３９・３９の中途部は前記ブラシホルダー３１上に設けたボス部３１ａ・３１ａに挿入されて、左右摺動自在に軸支され、左右揺動が水平となるようにしている。
【００１５】
前記左右の揺動アーム３８・３８の下端には前後平行にロアアーム４０・４０が締結され、該前後のロアアーム４０・４０には左右方向に一定間隔をあけて前後水平方向に揺動杆４１・４１・・・を横架して、該揺動杆４１・４１・・・は前記揺動ブラシ２４・２５の毛先部分を等間隔に区切るごとく貫通させて配置している。
【００１６】
このようにして、前記モーター１９を駆動することによって、変速装置、プーリー２０、ベルト、プーリー２２、ギアボックス２１を介して、偏心カム３６が回転駆動され、該偏心カム３６に枢結された前後の揺動駆動アーム３７・３７が位相差１８０度でクランク運動することによって、ガイドバー３９で連結された左右の揺動アーム３８・３８は水平に、しかも前後で左右逆方向に往復回動し、、該揺動アーム３８・３８下端に締結したロアアーム４０が前後で左右逆方向に揺動され、前後の揺動ブラシ２４・２５の毛先部分が前後で左右逆方向に揺動されるようにしている。
【００１７】
前記均しすり込み部Ｄは、図１、図２に示すように、
前記後フレーム５ｂから突設した連結アーム６にブラシホルダー１７上部に突出した支持ロッド１６の上端が枢結され、さらに、該ブラシホルダー１７自体も前記後フレーム５ｂ・５ｂとはチェーン１５によって連結されており、前記揺動すり込み部Ｃの前進に追従して該均しすり込み部Ｄが安定して牽引されるようにしている。
【００１８】
また、揺動すり込み部Ｃと同様に、該支持ロッド１６上には押圧バネ４２を外嵌して、該押圧バネ４２の下部を係止するスナップピンを該支持ロッド１６上に開口したピン孔に挿入できるようにし、該ピン孔への挿入位置を変えることで均しブラシ４３・４３の、接地圧を変更できるようにしている。
【００１９】
このような構成において、リフトアーム４・４を下降回動して目砂すり込み装置Ａを下降させると、前接地輪１０と後接地輪１１が接地して、揺動すり込み部Ｃと均しすり込み部Ｄの自重はこの前接地輪１０と後接地輪１１が受け、揺動ブラシ２４・２５及び均しブラシ４３の下端は押圧バネ３３・４２の付勢力によって付勢されて地表面に接地する。
【００２０】
この状態で走行機体Ｂを前進させながら、モーター１９・１９を駆動して作業を行うと、目砂すり込み装置Ａは牽引アーム３によって牽引され、揺動すり込み部Ｃはメインフレーム５を介して牽引され、均しすり込み部Ｄは連結アーム６・６およびチェーン１５を介して牽引される。
そして、モーター１９・１９の駆動によって揺動ブラシ２４・２５の毛先部分が前後で左右逆方向に揺動され、同時に、押圧バネ３１の付勢力によって地面側に付勢されて、芝生上に撒かれた目砂を分散させ、厚く撒かれた部分を均等化してすり込む。
そして、均しすり込み部Ｄは均しブラシ５０が前後方向平行で、各均しブラシ４３との間には一定の空間が設けられているので、牽引したときに、撒いた目砂の厚い部分は押されて均しブラシ４３の前部に溜まり、薄い部分になると埋められて均平化される。
そして、グリーン上に凹凸が存在しても、揺動すり込み部Ｃ及び均しすり込み部Ｄは接地輪１０・１１と近接しているため、それぞれの毛先は地表面に追随して、常に接地するのである。また、揺動ブラシ２４・２５の毛先高さを変更できるようにしているので、ブラシ２４・２５・４３の毛先の磨耗に伴う接地圧の低下や格納時のブラシの損傷を防ぐことができる。
【００２１】
【発明の効果】
本発明は以上の如く構成したので、次のような効果を奏するのである。
即ち、走行機体に対して昇降可能にメインフレームを吊設し、該メインフレームに接地輪を設けて所定高さに目砂すり込み装置を保持したので、ブラシを地表面から一定高さに保持して、安定した目砂すり込み作業ができる。
そして、目砂すり込み装置の前方に揺動すり込み部、後方には均しすり込み部を設けたので、前方ではブラシの毛先が接地しつつ左右に所定量往復動して、撒かれた目砂が均一に分散されてすり込まれ、その後方では揺動でムラになった部分が均一にすり込まれる。揺動すり込み部をメインフレーム内に納め、その後方にアームとチェーンで牽引される均しすり込み部を設けることで、構造が簡単となり部品交換等のメンテナンスが容易である。
更に、揺動すり込み部及び均しすり込み部のブラシが押圧バネによって地表面側に押圧されるので、地表面に凹凸があっても追随して接地することができ、バネ圧が調節できるので、芝の種類や刈り込み長さや乾燥具合や地質等に合わせて、最適な状態にすり込みができる。
また、揺動ブラシの毛先高さを変更できるので、ブラシの磨耗にも対処することができ、非使用時の装置格納でのブラシの収納も容易である。
【図面の簡単な説明】
【図１】本発明の目砂すり込み装置の全体側面図である。
【図２】同じく平面図である。
【図３】揺動すり込み部の側面図である。
【図４】同じく正面図である。
【符号の説明】
Ｂ    走行機体
Ｃ    揺動すり込み部
Ｄ    均しすり込み部
５    メインフレーム
１０・１１  接地輪
２４・２５  揺動ブラシ
３３・４２  押圧バネ
４３        均しブラシ
【図１】
0003612642.tif 000002
【図２】
0003612642.tif 000003
【図３】
0003612642.tif 000004
【図４】
0003612642.tif 000005